(57)【要約】【課題】防火換気構造を備えるとともに構造が簡単でかつ安価な建具を提供する。【解決手段】一方空間と他方空間との間に位置される開口部を開閉する建具（扉１）において、開口部を閉鎖した状態で一方空間（室外２）と他方空間（室内３）とに空気を流通可能に設けられた空気流通路５と、熱を受けた場合に膨張して、空気流通路５の一方空間側の通気孔（上側通気孔６Ａ）、又は、空気流通路５の他方空間側の通気孔を塞ぐように、空気流通路５の通路内に設けられた熱膨張材料１０とを備えたことを特徴とする。【選択図】図３
2020117971.tif 000002
【特許請求の範囲】
【請求項１】
一方空間と他方空間との間に位置される開口部を開閉する建具において、
開口部を閉鎖した状態で一方空間と他方空間とに空気を流通可能に設けられた空気流通路と、
熱を受けた場合に膨張して、空気流通路の一方空間側の通気孔、又は、空気流通路の他方空間側の通気孔を塞ぐように、空気流通路の通路内に設けられた熱膨張材料とを備えたことを特徴とする建具。
【請求項２】
建具は、板面同士が互いに所定間隔を隔てて平行に対向するように配置された一方の面板及び他方の面板と、一方の面板の上端縁と他方の面板の上端縁との間を塞ぐように設けられた上端面板と、一方の面板の左端縁と他方の面板の左端縁との間を塞ぐように設けられた左端面板と、一方の面板の右端縁と他方の面板の右端縁との間を塞ぐように設けられた右端面板と、一方の面板の下端縁と他方の面板の下端縁との間を塞ぐように設けられた下端面板とを備えた中空構造に形成され、
空気流通路の一方空間側の通気孔が建具の下端面板側に形成されて、空気流通路の他方空間側の通気孔が建具の面板の下側に形成されたことを特徴とする請求項１に記載の建具。
【請求項３】
他方の面板の下側に形成された開口を塞ぐように設置されて一方の面板と他方の面板との間に設けられたレジスター取付部材に取付けられたレジスターを備え、
空気流通路の他方空間側の通気孔が、レジスターに設けられた複数の通気孔により構成され、
空気流通路の一方空間側の通気孔が、建具の下端面板に形成された下側通気孔と、下端面板の上方に設けられたレジスター取付部材の下面板に形成された上側通気孔とで構成され、
熱膨張材料が、上側通気孔の通気孔縁に沿って設けられたことを特徴とする請求項２に記載の建具。
【発明の詳細な説明】
【技術分野】
【０００１】
本発明は、防火換気構造を備えた扉等の建具に関する。
【背景技術】
【０００２】
室内の換気性を良好なものとしつつ、火災時には火炎や煙等を遮断する防火換気構造を備えた建具としての扉（ドア）が知られている（特許文献１等参照）。
例えば、室外と室内との間に位置される開口部を開閉する中空構造の扉において、互いに所定の間隔を隔てて平行に対向する扉の一方の面板と他方の面板とにそれぞれ換気用の通気孔（レジスタガラリユニット）が設けられ、扉で開口部を閉鎖した状態において、通気孔を介して室外と室内とに空気を流通させることができるように構成された扉が知られている（特許文献１の実施例等参照）。
当該扉では、火災時において温度ヒューズが溶断した場合にスライド板が引張ばねにより引張られて通気孔が遮断されるように構成されている。
また、室外と室内との間に位置される開口部を開閉する中空構造の扉において、扉の下端面板と扉の一方の面板の下側とにそれぞれ換気用の通気孔が設けられ、扉で開口部を閉鎖した状態において、通気孔を介して室外と室内とに空気を流通させることができるように構成された扉が知られている（特許文献１の図１１参照）。
当該扉では、火災時に温度ヒューズが溶断した場合に塞ぎ板がばねにより付勢されて通気孔が遮断されるように構成されている。
【先行技術文献】
【特許文献】
【０００３】
【特許文献１】特開平８−２４００８０号公報
【発明の概要】
【発明が解決しようとする課題】
【０００４】
しかしながら、特許文献１に開示された扉のように、火災時に温度ヒューズが溶断した場合にスライド板や塞ぎ板がばねにより付勢されて通気孔を塞ぐように構成された扉においては、温度ヒューズ及びばねが必要になるとともに、温度ヒューズの取付構造、及び、ばねの取付構造が必要となるため、構造が複雑になり、部品コストや製造コストが嵩むといった課題があった。
【０００５】
本発明は、上記課題を解消すべく、防火換気構造を備えるとともに構造が簡単でかつ安価な建具を提供するものである。
【課題を解決するための手段】
【０００６】
本発明に係る建具によれば、一方空間と他方空間との間に位置される開口部を開閉する建具において、開口部を閉鎖した状態で一方空間と他方空間とに空気を流通可能に設けられた空気流通路と、熱を受けた場合に膨張して、空気流通路の一方空間側の通気孔、又は、空気流通路の他方空間側の通気孔を塞ぐように、空気流通路の通路内に設けられた熱膨張材料とを備えたことを特徴とする。
また、建具は、板面同士が互いに所定間隔を隔てて平行に対向するように配置された一方の面板及び他方の面板と、一方の面板の上端縁と他方の面板の上端縁との間を塞ぐように設けられた上端面板と、一方の面板の左端縁と他方の面板の左端縁との間を塞ぐように設けられた左端面板と、一方の面板の右端縁と他方の面板の右端縁との間を塞ぐように設けられた右端面板と、一方の面板の下端縁と他方の面板の下端縁との間を塞ぐように設けられた下端面板とを備えた中空構造に形成され、空気流通路の一方空間側の通気孔が建具の下端面板側に形成されて、空気流通路の他方空間側の通気孔が建具の面板の下側に形成されたことを特徴とする。
上述した本発明の構成によれば、防火換気構造を備えるとともに構造が簡単でかつ安価な建具を得ることができる。
また、他方の面板の下側に形成された開口を塞ぐように設置されて一方の面板と他方の面板との間に設けられたレジスター取付部材に取付けられたレジスターを備え、空気流通路の他方空間側の通気孔が、レジスターに設けられた複数の通気孔により構成され、空気流通路の一方空間側の通気孔が、建具の下端面板に形成された下側通気孔と、下端面板の上方に設けられたレジスター取付部材の下面板に形成された上側通気孔とで構成され、熱膨張材料が、上側通気孔の通気孔縁に沿って設けられたことを特徴とする。
当該構成によれば、上側通気孔を効果的に塞ぐことができるようになるので、防火性能に優れた防火換気構造を備えるとともに構造が簡単でかつ安価な建具を提供できる。
【図面の簡単な説明】
【０００７】
【図１】扉を示す斜視図。
【図２】扉の横断面図。
【図３】扉の下側の縦断面図（レジスター及び左右の縦枠部材の図示省略）。
【図４】熱膨張材料の配置を上下横枠部材の下板の上方から見た図。
【図５】通気機構を示す分解斜視図。
【図６】通気可能状態及び遮蔽状態をレジスターの裏側から見た図。
【図７】レジスターの取付方法を示す斜視図。
【図８】レジスターが取付けられた扉の下側を示す拡大斜視図。
【発明を実施するための形態】
【０００８】
実施形態１
図１乃至図４に示すように、実施形態１に係る建具としての扉（ドア）１は、一方空間としての室外２と他方空間としての室内３との間に位置される開口部４を開閉する扉であって、開口部４を閉鎖した状態で室外２と室内３とに空気を流通可能に設けられた空気流通路５と、熱を受けた場合に膨張して、空気流通路５の室外側通気孔６を塞ぐように、空気流通路５内の室外側通気孔６付近に設けられた熱膨張材料１０とを備えた、例えば、玄関扉である。
尚、本明細書においては、扉１の上、下、左、右、表（前）、裏（後）は、図１，図５等に示した方向と定義して説明する。
【０００９】
図１に示すように、扉１は、例えば、板面同士が互いに所定間隔を隔てて平行に対向するように配置された他方の面板としての表面板１１及び一方の面板としての裏面板１２と、表面板１１の上端縁と裏面板１２の上端縁との間を塞ぐように設けられた上端面板１３と、表面板１１の左端縁と裏面板１２の左端縁との間を塞ぐように設けられた左端面板１４と、表面板１１の右端縁と裏面板１２の右端縁との間を塞ぐように設けられた右端面板１５と、表面板１１の下端縁と裏面板１２の下端縁との間を塞ぐように設けられた下端面板１６とを備えて構成された、中空構造の矩形状扉である。
尚、表面板１１及び裏面板１２は、例えば鋼板等の金属板により形成されている。
また、上端面板１３、左端面板１４、右端面板１５は、例えば鋼板等の金属板により断面凹形状に形成された長尺材（力骨）により構成される。
また、下端面板１６は、例えば鋼板等の金属板により後述する断面形状に形成された長尺材により構成される。
また、ドアハンドル１７が設置されている部分の近傍において表面板１１と裏面板１２との間には、例えば鋼板等の金属板により断面凹形状に形成された補強用の長尺材１８が、上下方向に延在するように設けられている。
尚、図１において、１７ａは主錠シリンダ、１７ｂは補助錠シリンダである。
また、図２に示すように、建物の壁８に設けられた開口８Ａに扉枠４Ａが設置され、扉枠４Ａの内側の開口部４を開閉する扉１の左側縁側、あるいは、右側縁側がヒンジ４Ｂを介して扉枠４Ａに取付けられていることにより、扉１が開口部４を開閉可能なように扉枠４Ａに取付けられている。
また、例えば、戸先となる右端面板１５には、煙返し１９（図２参照）が取付けられている。
【００１０】
図３に示すように、空気流通路５は、下端面板１６に設けられた室外側通気孔６における下側通気孔６Ｂと表面板１１の下側の左右方向中央部に設けられた室内側開口７との間の空間により形成され、当該空気流通路５には、通気機構２０が設置されている。
【００１１】
図５に示すように、通気機構２０は、例えば、レジスター３０と、レジスター取付部材４０と、室外側通気孔構成部材６０とを備える。
【００１２】
レジスター３０は、通気孔蓋３１と、シャッター板３２とを備える。
【００１３】
通気孔蓋３１は、室内側開口７よりも若干小さい大きさの矩形状の板に縦長孔（スリット）等の複数の通気孔３３，３３…が形成された構成の通気孔板３４と、通気孔板３４の周囲に設けられた取付枠部３５とを備える。
例えば、表面板１１に形成された室内側開口７は、左右方向に長い矩形開口により形成され、通気孔板３４は、室内側開口７よりも若干小さい矩形板により形成される（図１，図８等参照）。
取付枠部３５は、矩形環状枠板３６と周縁枠板３７とを備えて構成される。
矩形環状枠板３６は、通気孔板３４の周縁より通気孔板３４の板面と直交する方向に延長して立ち上がるように設けられた板により形成される。
周縁枠板３７は、矩形環状枠板３６の延長端縁（前端縁）より通気孔板３４の中心から離れる方向に延長して室内側開口７の周囲における表面板１１の板面と平行に対向する板面を有した板により形成される。
【００１４】
図５に示すように、シャッター板３２は、縦長孔（スリット）等の複数の通気孔３８，３８…が形成されて、通気孔板３４の裏面に沿って例えば左右方向に移動可能となるように通気孔板３４に取付けられた板である。
例えば、図６に示すように、通気孔板３４の裏面の上下左右側には、ガイド爪３９，３９…が突設され、通気孔板３４の裏面とガイド爪３９，３９…との間にシャッター板３２が挿入されて、シャッター板３２が左右方向に移動可能に構成されている。
また、図５に示すように、例えば、シャッター板３２の下端縁側の左右中央側には、軸貫通孔７０が設けられており、通気孔板３４における下端縁側の左右中央側には、操作つまみ７３のねじ軸７４が貫通する左右方向に長い長孔７１が形成されている。
例えば、通気孔板３４の裏面の左右のいずれか一方側から通気孔板３４の裏面とガイド爪３９，３９…との間にシャッター板３２を挿入した後、操作つまみ７３のねじ軸７４を通気孔板３４の前側から長孔７１及び軸貫通孔７０に通し、軸貫通孔７０より後方に突出させたねじ軸７４の先端側にねじキャップ７２（図６参照）を締結する。
以上により、通気孔蓋３１の通気孔板３４の裏面にシャッター板３２が左右方向に移動可能に取付けられ、操作つまみ７３を操作することによって、シャッター板３２を左右方向に移動させることができるレジスター３０が構成される。
シャッター板３２を、例えば図６（ａ）に示すように、右側に移動させた場合に、複数の通気孔３８，３８…が通気孔板３４の複数の通気孔３３，３３…の裏側に位置される通気可能状態に設定される。
また、シャッター板３２を、例えば図６（ｂ）に示すように、左側に移動させた場合に、複数の通気孔３８，３８…間の板部が通気孔板３４の複数の通気孔３３，３３…の裏側に位置される遮蔽状態に設定される。
即ち、操作つまみ７３を操作することによって、通気孔３３と通気孔３８とで構成される室内側通気孔の大きさを調整して、室内３への換気量を調整できる装置であるレジスター３０が構成される。
【００１５】
図５に示すように、レジスター取付部材４０は、例えば、上下横枠部材４１と、左右の縦枠部材４２，４２とで構成される。
【００１６】
上下横枠部材４１は、裏面板１２の板面と平行な板面を有した左右に長い矩形板により形成された基板４３と、基板４３の上端縁より基板４３の板面と直交する前方向に延長する上板４４と、上板４４の延長端縁（前端縁）より上板４４の板面と直交する下方向に延長する上取付板４５と、基板４３の下端縁より基板４３の板面と直交する前方向に延長する下板４６と、下板４６の延長端縁（前端縁）より下板４６の板面と直交する上方向に延長する下取付板４７とを備える。
基板４３の裏面と上取付板４５の表面との間の寸法、及び、基板４３の裏面と下取付板４７の表面との間の寸法は、表面板１１と裏面板１２との間の所定間隔に対応した寸法に形成されている。
【００１７】
左側の縦枠部材４２は、表面板１１及び裏面板１２の板面と直交する板面を有した上下に長い矩形板により形成された基板５１と、基板５１の前端縁より基板５１の板面と直交する右方向に延長する前板５２と、基板５１の後端縁より基板５１の板面と直交する右方向に延長する後板５３と、前板５２の延長端縁（右端縁）より前板５２の板面と直交する後方向に延長して基板５１の板面と平行に対向する対向板５４と、対向板５４の延長端縁（後端縁）より対向板５４の板面と直交する右方向に延長する左取付板５５とを備える。
同様に、右側の縦枠部材４２は、表面板１１及び裏面板１２の板面と直交する板面を有した上下に長い矩形板により形成された基板５１と、基板５１の前端縁より基板５１の板面と直交する左方向に延長する前板５２と、基板５１の後端縁より基板５１の板面と直交する左方向に延長する後板５３と、前板５２の延長端縁（左端縁）より前板５２の板面と直交する後方向に延長して基板５１の板面と平行に対向する対向板５４と、対向板５４の延長端縁（後端縁）より対向板５４の板面と直交する左方向に延長する右取付板５５とを備える。
即ち、左右の縦枠部材４２，４２は、同じ構成のものが、左右対称に配置される。
【００１８】
図５に示すように、室外側通気孔構成部材６０は、例えば、上下横枠部材４１の下板４６と、扉１の下端面板１６とで構成される。
そして、室外側通気孔６は、上下横枠部材４１の下板４６に形成された上側通気孔６Ａと、扉１の下端面板１６に形成された下側通気孔６Ｂとで構成される。
【００１９】
下端面板１６は、例えば、扉１の左右の横幅方向に長い横幅寸法に対応した長さの長尺材により形成される。
下端面板１６は、扉１の左右の横幅方向に長い扉１の横幅寸法に対応した長さの長尺板により形成された下板６１と、下板６１の短手方向の前端縁より下板６１の板面と直交する上方向に延長する前側立上り板６２と、下端面板１６の短手方向の後端縁より下端面板１６の板面と直交する上方向に延長する中間立上り板６３と、中間立上り板６３の上端縁より中間立上り板６３の板面と直交する後方向に延長する段差板６４と、段差板６４の延長端縁（後端縁）より段差板６４の板面と直交する上方向に延長する後側立上り板６５とを備え、かつ、長手方向の中央側において、下板６１と中間立上り板６３と段差板６４とに亘る部位を除去して開口させた下側通気孔６Ｂを備えた構成である。
後側立上り板６５の裏面と前側立上り板６２の表面との間の寸法は、表面板１１と裏面板１２との間の所定間隔に対応した寸法に形成されている。
【００２０】
そして、下側通気孔６Ｂの上方に位置される上下横枠部材４１の下板４６に上側通気孔６Ａが形成される。
上側通気孔６Ａは、上下横枠部材４１の下板４６の短手方向（前後方向）の中央側において当該下板４６の長手方向（左右方向）の延長するように形成されている。
【００２１】
熱膨張材料１０としては、例えば、耐火性能を有した熱膨張ゴムや熱膨張スポンジ等により板状に形成されたもの、例として、「セキスイ熱膨張耐火材フィブロック（登録商標）」、積水化学工業株式会社製等を用いる。
熱膨張材料１０は、熱を受けた場合に膨張して、上下横枠部材４１の下板４６に形成された上側通気孔６Ａを塞ぐことができるように、上側通気孔６Ａの長手方向に沿って延長する上側通気孔６Ａの両側の通気孔縁に沿った位置に、それぞれ設けられている。
具体的には、図３乃至図５に示すように、上下横枠部材４１の下板４６と基板４３と下取付板４７とで囲まれた空間において、上下横枠部材４１の下板４６と基板４３との境界位置、及び、上下横枠部材４１の下板４６と下取付板４７との境界位置に、それぞれ設置されている。
【００２２】
レジスター取付部材４０は、例えば、以下のように組み立てられる。
図７に示すように、左取付板５５を右側に位置させた左側の縦枠部材４２の上部側を上下横枠部材４１の左端側の基板４３と上取付板４５との間に挿入するとともに、左側の縦枠部材４２の下部側を上下横枠部材４１の左端側の基板４３と下取付板４７との間に挿入し、左側の縦枠部材４２の前板５２を上下横枠部材４１の上取付板４５と下取付板４７とに面接触させるとともに、左側の縦枠部材４２の後板５３を上下横枠部材４１の基板４３に面接触させた状態とした後、左側の縦枠部材４２を溶接などの固定手段を使用して上下横枠部材４１の左端側に固定する。
同様に、右取付板５５を左側に位置させた右側の縦枠部材４２の上部側を上下横枠部材４１の右端側の基板４３と上取付板４５との間に挿入するとともに、右側の縦枠部材４２の下部側を上下横枠部材４１の右端側の基板４３と下取付板４７との間に挿入し、右側の縦枠部材４２の前板５２を上下横枠部材４１の上取付板４５と下取付板４７とに面接触させるとともに、右側の縦枠部材４２の後板５３を上下横枠部材４１の基板４３に面接触させた状態とした後、右側の縦枠部材４２を溶接などの固定手段を使用して上下横枠部材４１の右端側に固定する。
この場合、左側の縦枠部材４２の前板５２と右側の縦枠部材４２の前板５２と上下横枠部材４１の上取付板４５と下取付板４７とで囲まれた開口が、扉１の表面板１１に形成された室内側開口７の大きさに対応した大きさの開口に形成される。
そして、レジスター３０の通気孔蓋３１の通気孔板３４が室内側開口７を介して扉１の内側に挿入されて、通気孔板３４の左の裏面と左側の縦枠部材４２の左取付板５５とを面接触させるとともに、通気孔板３４の右の裏面と右側の縦枠部材４２の右取付板５５とを面接触させる。
この状態で、ねじ７６を通気孔板３４の取付孔７６ａに通して左右の縦枠部材４２，４２の左右の取付板５５，５５のねじ孔７６ｂに締結するとともに、例えばリベット７５を周縁枠板３７の上下の横部の中央側に形成された取付孔７５ａ、表面板１１の図外の取付孔、下横枠部材４１の上取付板４５と下取付板４７とに形成された取付孔７５ｂに締結することによって、レジスター３０の通気孔板３４が室内側開口７に嵌まり込んだ状態となるように、レジスター３０がレジスター取付部材４０に取付けられる。
以上により、図８に示すように、レジスター取付部材４０に、表面板１１及びレジスター３０が取付けられた状態となり、レジスター３０の通気孔板３４の複数の通気孔３３，３３…及びシャッター板３２の複数の通気孔３８，３８…により、室内側通気孔が形成される。
【００２３】
そして、図３に示すように、上下横枠部材４１の下板４６に形成された上側通気孔６Ａと、扉１の下端面板１６に形成された下側通気孔６Ｂとが、上下で対応するように、上下横枠部材４１の下板４６の下方に下端面板１６を設置するとともに、裏面板１２を設置する。そして、表面板１１の下端側を下端面板１６の下板６１側に折り返すとともに、裏面板１２の下端側を下端面板１６の段差板６４側に折り返した状態で、下端面板１６と表面板１１の下端側とを溶接などで固定するとともに、下端面板１６と裏面板１２の下端側とを溶接などで固定することにより、表面板１１の下端と裏面板１２の下端との間に下端面板１６が取り付けられる。
また、表面板１１の上端と裏面板１２の上端との間に上端面板１３を取付け、表面板１１の左端と裏面板１２の左端との間に左端面板１４を取付け、表面板１１の右端と裏面板１２の右端との間に右端面板１５を取付けることによって扉１を形成する。
以上により、表面板１１の下側に形成された室内側開口７にレジスター３０が設置されて、レジスター３０の通気孔板３４の複数の通気孔３３，３３…及びシャッター板３２の複数の通気孔３８，３８…により室内側通気孔が設けられるとともに、表面板１１の下端面側に上側通気孔６Ａと下側通気孔６Ｂとで構成される室外側通気孔６が設けられ、かつ、上側通気孔６Ａの通気孔縁に沿って熱膨張材料１０が設けられた構成の防火換気構造を備えた扉１が構成される。
【００２４】
実施形態１によれば、熱を受けた場合に膨張して、上下横枠部材４１の下板４６に上側通気孔６Ａを塞ぐことができる位置に熱膨張材料１０を備えたので、熱膨張材料１０を設置するだけであり、構造が簡単でかつ安価な防火換気構造を備えた扉１を提供できる。
特に、熱膨張材料１０を、上側通気孔６Ａの長手方向に沿って延長する上側通気孔６Ａの両側の通気孔縁に沿った位置に、それぞれ設けたので、火災時において、これら熱膨張材料１０，１０が熱を受けた場合、これら熱膨張材料１０，１０が膨張して、上側通気孔６Ａを効果的に塞ぐことができるようになり、防火性能に優れた扉１を提供できる。
【００２５】
即ち、実施形態１によれば、表面板１１の下側に形成された室内側開口７を塞ぐように設置されて表面板１１と裏面板１２との間に設けられたレジスター取付部材４０に取付けられたレジスター３０を備え、室内側通気孔（空気流通路５の他方空間側の通気孔）が、レジスター３０に設けられた複数の通気孔３３，３３…、３８，３８…により構成され、室外側通気孔６（空気流通路５の一方空間側の通気孔）が、扉１の下端面板１６に形成された下側通気孔６Ｂと、下端面板１６の上方に設けられたレジスター取付部材４０の下板４６に形成された上側通気孔６Ａとで構成され、熱膨張材料１０が、上側通気孔６Ａの通気孔縁に沿って設けられた構成としたので、上側通気孔６Ａを効果的に塞ぐことができるようになり、防火性能に優れ、構造が簡単でかつ安価な扉１を提供できる。
【００２６】
また、レジスター３０における周縁枠板３７の上下の横部の中央側を、留付材としてのリベット７５を用いて、表面板１１、及び、下横枠部材４１に留付けた構成としているので、レジスター３０の変形を抑制できるようになって、レジスター３０と表面板１１との間に、防火性能上不利となる隙間が発生してしまうことを抑制できるようになり、防火性能に優れた扉１を提供できる。尚、留付材として、ビスや、その他の留付材を用いても良い。
また、ドアハンドル１７が設置されている部分の近傍において、表面板１１と裏面板１２との間に、上下方向に延在するように、補強用の長尺材１８を設けた構成としたので、表面板１１及び裏面板１２に熱が加わることによる表面板１１及び裏面板１２の熱反り現象を抑制できるようになり、上端面板１３と左端面板１４と右端面板１５と下端面板１６とで構成された扉四方枠構造と表面板１１及び裏面板１２との間に、防火性能上不利となる隙間が発生してしまうことを抑制できるようになるので、防火性能に優れた扉１を提供できる。
【００２７】
実施形態２
熱膨張材料１０は、熱を受けた場合に膨張して、下端面板１６に形成された下側通気孔６Ｂを塞ぐことができるように、下側通気孔６Ｂの長手方向に沿って延長する両側の通気孔縁に沿った位置に設けるようにしてもよい。
具体的には、下端面板１６の下板６１、前側立上り板６２、中間立上り板６３、段差板６４、後側立上り板６５で囲まれた空間において、下板６１と前側立上り板６２との境界位置、及び、段差板６４と後側立上り板６５との境界位置に、熱膨張材料１０を、それぞれ設置した構成とすればよい。
実施形態２によれば、火災時において、熱膨張材料１０，１０が熱を受けた場合、これら熱膨張材料１０，１０が膨張して、下側通気孔６Ｂを効果的に塞ぐことができるようになり、防火性能に優れた扉１を提供できる。
【００２８】
実施形態３
熱膨張材料１０は、熱を受けた場合に膨張して、室内側通気孔を構成する複数の各通気孔３３，３３…及び複数の各通気孔３８，３８…を塞ぐことができるように、レジスター３０のシャッター板３２の裏面において、複数の各通気孔３８，３８…の孔縁に沿った位置に、熱膨張材料１０を、それぞれ設置した構成としてもよい。
実施形態３によれば、火災時において、熱膨張材料１０，１０…が熱を受けた場合、これら熱膨張材料１０，１０…が膨張して、室内側通気孔を効果的に塞ぐことができるようになり、防火性能に優れた扉１を提供できる。
【００２９】
尚、上記では、建具としての玄関扉１を例示したが、本発明は、建物内の一方空間と他方空間との間に位置される開口部を開閉する扉にも適用可能である。
また、本発明は、建具としての引き戸、窓等にも適用可能である。例えば、引き戸の一部や窓の一部に上述した通気機構２０を備えた構成とすればよい。
即ち、建物の開口部に設けられる開閉機能を持つ建具であって、開口部を閉鎖した状態で一方空間と他方空間とに空気を流通可能に設けられた空気流通路と、熱を受けた場合に膨張して、空気流通路の一方空間側の通気孔、又は、空気流通路の他方空間側の通気孔を塞ぐように、空気流通路の通路内に設けられた熱膨張材料とを備えた構成の建具であればよい。
【符号の説明】
【００３０】
１  扉（建具）、２  室外（一方空間）、３  室内（他方空間）、４  開口部、
５  空気流通路、６  室外側通気孔（空気流通路の一方空間側の通気孔）、
６Ａ  上側通気孔、６Ｂ  下側通気孔、７  室内側開口（開口）、１０  熱膨張材料、
１１  表面板（他方の面板）、１２  裏面板（一方の面板）、１３  上端面板、
１４  左端面板、１５  右端面板、１６  下端面板、３０  レジスター、
４０  レジスター取付部材、４６  下板、
３３，３８  複数の通気孔（室内側通気孔（空気流通路の他方空間側の通気孔））。
【図１】
2020117971.tif 000003
【図２】
2020117971.tif 000004
【図３】
2020117971.tif 000005
【図４】
2020117971.tif 000006
【図５】
2020117971.tif 000007
【図６】
2020117971.tif 000008
【図７】
2020117971.tif 000009
【図８】
2020117971.tif 000010